(57)【特許請求の範囲】
【請求項１】
複数の電極群間のインピーダンス変化に基づいて体液の広がりを検知する着用物品用の排液センサーシートであって、
前記排液センサーシートは、その一面上に配した着用物品の吸収体に体液が広がったときに相互に絶縁された状態を維持する複数の前記電極群を備え、
各前記電極群は、相互に導線を介して接続された少なくとも２つの電極からなり、
前記導線は、導電性糸からなり、
前記電極は、メッシュ状の導電性繊維シートからなり、
複数の前記電極群は、前記排液センサーシートの一面上に、隙間の存在する粘着部が配され、該粘着部上に隣接して前記導電性糸が配され、該導電性糸上に隣接して前記導電性繊維シートが配されて形成されている排液センサーシート。
【請求項２】
前記導電性繊維シートは、表面をメッキ処理した合成樹脂製のモノフィラメント糸で織ってなるシートである請求項１に記載の排液センサーシート。
【請求項３】
前記粘着部は、前記排液センサーシートの一面上の全面に配されている請求項１又は２に記載の排液センサーシート。
【請求項４】
前記着用物品は、液透過性の表面シート、液難透過性の裏面シート、これら両シート間に配された吸収体を有する吸収性物品を備え、
前記排液センサーシートは、前記裏面シートよりも非肌対向面側に配される該吸収性物品とは別体のシートである請求項１〜３の何れか１項に記載の排液センサーシート。
【請求項５】
前記吸収性物品は、尿とりパッドであり、
前記排液センサーシートは、前記尿とりパッドの非肌対向面側に配される使い捨ておむつと、前記尿とりパッドとの間に配される別個独立した別体のシートである請求項４に記載の排液センサーシート。
【請求項６】
請求項１〜３の何れか１項に記載の排液センサーシートを有する着用物品であって、
前記着用物品は、液透過性の表面シート、液難透過性の裏面シート、これら両シート間に配された吸収体を有する吸収性物品を備え、
前記排液センサーシートは、前記裏面シートよりも非肌対向面側に配される該吸収性物品とは別体のシートである着用物品。
【請求項７】
前記吸収性物品は、尿とりパッドであり、
前記排液センサーシートは、前記尿とりパッドの非肌対向面側に配される使い捨ておむつと、前記尿とりパッドとの間に配される別個独立したシートである請求項６に記載の着用物品。
【請求項８】
複数の電極群間のインピーダンス変化に基づいて体液の広がりを検知する着用物品用の排液センサーシートの製造方法であって、
予め、前記電極群を構成する導線の配置予定位置、前記電極群を構成する電極の配置予定位置、及び前記電極群を電子機器に接続するための端子の配置予定位置を記載した配置パターン図を作製し、
次いで、前記配置パターン図上に、一面全面に粘着部が配された基材シートを、該基材シートにおける該粘着部が配されていない他面側を対向させて配し、
次いで、前記基材シートの一面上に、該基材シートを透過して見える前記配置パターン図の前記導線の配置予定位置に倣って該導線となる導電性糸を配して前記粘着部を介して固定し、
次いで、前記基材シートの一面上に固定された前記導電性糸上に、該基材シートを透過して見える前記配置パターン図の前記電極の配置予定位置に倣って該電極となる導電性繊維シートを配して前記粘着部を介して固定し、
次いで、前記基材シートを透過して見える前記配置パターン図の前記端子の配置予定位置に該基材シートを貫通する貫通孔を形成し、該貫通孔に前記端子を取り付けて、
体液が広がったときに相互に絶縁された状態を維持するとともに相互に前記導線を介して接続された少なくとも２つの前記電極からなる前記電極群を、一面上に備えている排液センサーシートの製造方法。
【請求項９】
前記導電性繊維シートには、その一面全面にシート粘着部が配され該シート粘着部を覆う剥離紙が予め配されており、
前記導電性繊維シートにおける前記シート粘着部が配さていない他面側を前記該基材シートの一面に対向させて配している請求項８に記載の排液センサーシートの製造方法。
【発明の詳細な説明】
【技術分野】
【０００１】
本発明は、成人用又は乳幼児用の着用物品用の排液センサーシート、該排液センサーシートを有する着用物品、及び該排液センサーシートの製造方法に関する。
【背景技術】
【０００２】
従来より、排尿等を検知するセンサーを備え、例えば介護者が被介護者の排尿の有無を検知可能な成人用の使い捨ておむつが知られている（特許文献１，２）。特許文献１に記載の吸収性物品は、体液検知装置の組み込まれた吸収性物品であり、該吸収性物品には、導電不織ウエブを含んで構成された複数本の導電要素が、吸収される体液に接触する位置に配され、該複数本の導電要素にシグナル装置が接続されている。また、特許文献２に記載の使い捨ておむつは、複数の電極を列置した電極列を複数列備え、複数の電極間のインピーダンス変化に基づいて排尿を検知する検知装置を備えている。
【先行技術文献】
【特許文献】
【０００３】
【特許文献１】特許第５３０７８１１号公報
【特許文献２】特開２０１３-３９１５８号公報
【発明の概要】
【発明が解決しようとする課題】
【０００４】
特許文献１に記載の吸収性物品の備える体液検知装置は、シグナル装置と複数本の導電要素とによって開回路が形成されているので、吸収性物品内に体液が排泄されると開回路が閉じられ、その結果、シグナル装置が作動し、体液の排泄を知らせることができる。また、複数本の導電要素が、導電不織ウエブを含んで構成されているので、柔らかい。
【０００５】
しかし、特許文献１に記載の吸収性物品の備える体液検知装置は、排泄された体液の有無だけを検知するセンサーであり、排尿量等を高精度に測定するセンサーではなかった。
【０００６】
それに対し、特許文献２に記載の使い捨ておむつの備える検知装置は、排尿量等を高精度に測定することができ、尿の広がりも検知できる。しかし、特許文献２には、検知装置の備える複数の電極として絶縁体であるフィルム表面に電極を配置したものの記載はあるが、電極及び導線についてはどのような材料で、どのようにして形成されているかについて具体的に記載されていない。
【０００７】
したがって本発明は、前述した従来技術が有する欠点を解消し得る排液センサーシート及び排液センサーシートを有する着用物品を提供することにある。また本発明は、このような排液センサーシートを効率的に製造する排液センサーシートの製造方法を提供することにある。
【課題を解決するための手段】
【０００８】
本発明は、複数の電極群間のインピーダンス変化に基づいて体液の広がりを検知する着用物品用の排液センサーシートであって、前記排液センサーシートは、その一面上に、体液が広がったときに相互に絶縁された状態を維持する複数の前記電極群を備え、各前記電極群は、相互に導線を介して接続された少なくとも２つの電極からなり、前記導線は、導電性糸からなり、前記電極は、導電性繊維シートからなり、複数の前記電極群は、前記排液センサーシートの一面上に粘着部が配され、該粘着部上に隣接して前記導電性糸が配され、該導電性糸上に隣接して前記導電性繊維シートが配されて形成されている排液センサーシートを提供するものである。
【０００９】
また、本発明は、前記排液センサーシートを有する着用物品であって、前記着用物品は、液透過性の表面シート、液難透過性の裏面シート、これら両シート間に配された吸収体を有する吸収性本体を備え、前記排液センサーシートは、前記裏面シートよりも非肌対向面側に配される該吸収性物品とは別体のシートである着用物品を提供するものである。
【００１０】
また、本発明は、複数の電極群間のインピーダンス変化に基づいて体液の広がりを検知する着用物品用の排液センサーシートの製造方法であって、予め、前記電極群を構成する導線の配置予定位置、前記電極群を構成する電極の配置予定位置、及び前記電極群を電子機器に接続するための端子の配置予定位置を記載した配置パターン図を作製し、次いで、前記配置パターン図上に、一面全面に粘着部が配された基材シートを、該基材シートにおける該粘着部が配されていない他面側を対向させて配し、次いで、前記基材シートの一面上に、該基材シートを透過して見える前記配置パターン図の前記導線の配置予定位置に倣って該導線となる導電性糸を配して前記粘着部を介して固定し、次いで、前記基材シートの一面上に固定された前記導電性糸上に、該基材シートを透過して見える前記配置パターン図の前記電極の配置予定位置に倣って該電極となる導電性繊維シートを配して前記粘着部を介して固定し、次いで、前記基材シートを透過して見える前記配置パターン図の前記端子の配置予定位置に該基材シートを貫通する貫通孔を形成し、該貫通孔に前記端子を取り付けて、体液が広がったときに相互に絶縁された状態を維持するとともに相互に前記導線を介して接続された少なくとも２つの前記電極からなる前記電極群を、一面上に備えている排液センサーシートの製造方法を提供するものである。
【発明の効果】
【００１１】
本発明の排液センサーシートによれば、柔らかく、体液の広がりを高精度に測定することができる。また、本発明の排液センサーシートの製造方法によれば、このような排液センサーシートを効率的に製造することができる。
【図面の簡単な説明】
【００１２】
【図１】本発明の排液センサーシートを備えた好ましい実施形態の着用物品の斜視図である。
【図２】図２は、図１に示す着用物品を伸長させ尿とりパッドを除いて排液センサーシートを露わにした状態を肌対向面側から見た一部破断平面図である。
【図３】図３は、図２のＩＩＩ−ＩＩＩ線断面図である。
【図４】図４（ａ）〜図４（ｇ）は、図２に示す排液センサーシートの製造方法の工程を説明する説明図である。
【図５】図５は、図２に示す排液センサーシートの備える電極となる導電性繊維シートの一例を示す斜視図である。
【図６】図６は、図４（ｇ）のＶＩ−ＶＩ線断面図である。
【図７】図７は、データ収集手段の詳細な構成例を示すブロック図である。
【図８】図８は、情報処理手段の詳細な構成例を示すブロック図である。
【発明を実施するための形態】
【００１３】
以下、本発明の排液センサーシートを、その好ましい実施形態に基づき図面を参照しながら説明する。
本発明の排液センサーシートは、着用物品に用いられ、電極間のインピーダンス変化に基づいて体液の広がりを検知するものである。本発明の排液センサーシートを備えた好ましい実施形態の着用物品１００は、図１に示すように、縦長の吸収体４を有する吸収性本体５を備えた尿とりパッド１０（吸収性物品）と、尿とりパッド１０の非肌対向面側に配される使い捨ておむつ３０と、使い捨ておむつ３０と尿とりパッド１０との間に配される別個独立した別体のシートである排液センサーシート２０とを備えている。
【００１４】
図１に示すように、着用物品１００は、腹側領域Ａ、背側領域Ｂ及び股下領域Ｃに区分できる。ここで、腹側領域Ａは装着時に装着者の腹側に位置する部位であり、背側領域Ｂは装着時に装着者の背側に位置する部位であり、股下領域Ｃは腹側領域Ａと背側領域Ｂとの間に配される部位である。
図に示す「Ｙ方向」は、腹側領域Ａから背側領域Ｂへ、或いは背側領域Ｂから腹側領域Ａへ延びる方向であり、尿とりパッド１０、排液センサーシート２０又は使い捨ておむつ３０の長手方向と同じ方向でもある。また図に示す「Ｘ方向」は、Ｙ方向に直交する方向であり、尿とりパッド１０、排液センサーシート２０又は使い捨ておむつ３０の幅方向と同じ方向でもある。また「Ｚ方向」は、尿とりパッド１０、排液センサーシート２０又は使い捨ておむつ３０の厚みと同じ方向でもある。
また、本明細書において、「肌対向面」とは、例えば尿とりパッド１０を構成する後述する表面シート２などの各部材の表裏両面のうち、着用時に着用者の肌側に向けられる面であり、「非肌対向面」とは、例えば尿とりパッド１０を構成する後述する表面シート２などの各部材の表裏両面のうち、着用時に着用者の肌側とは反対側に向けられる面である。
さらにまた、図に示す線ＣＬは、尿とりパッド１０、排液センサーシート２０又は使い捨ておむつ３０の長手方向（Ｙ方向）に延びる中心線である。
【００１５】
本実施形態の着用物品１００の尿とりパッド１０は、肌対向面側に配された液透過性の表面シート２と、非肌対向面側に配された液難透過性の裏面シート３と、これら両シート２，３間に配された吸収体４とを有する縦長の吸収性本体５を備えている。尿とりパッド１０について詳述すると、表面シート２、裏面シート３及び吸収体４は、図１，図２に示すように、吸収性本体５の長手方向（Ｙ方向）に長い長方形状を有している。表面シート２及び裏面シート３は、それぞれ、吸収体４の長手方向（Ｙ方向）に沿う左右両側縁及び長手方向（Ｙ方向）の前後両端縁から外方に延出している。表面シート２は、図１に示すように、その長手方向（Ｙ方向）の寸法が、裏面シート３の長手方向（Ｙ方向）の寸法と同じであるが、図３に示すように、その幅方向（Ｘ方向）の寸法が、裏面シート３の幅方向（Ｘ方向）の寸法より小さくなっている。表面シート２及び裏面シート３は、それぞれ、吸収体４の周縁から外方に延出した延出部において直接的に又は他の部材（尿とりパッド１０においては後述する立体ギャザー６を形成するサイドシート６１）を介在させ、接着剤又は熱融着等によって互いに接合されており、吸収体４を挟持・固定している。尚、吸収体４は、図３に示すように、パルプ繊維等の繊維の集合体に吸水性ポリマーの粒子を保持させてなる吸収性コア４１を、１枚のコアラップシート４２で被覆して形成されている。
【００１６】
また、本実施形態の着用物品１００の尿とりパッド１０は、図１，図３に示すように、吸収性本体５の肌対向面５ｕ側において、吸収性本体５の長手方向（Ｙ方向）に沿う両側部５ｓ，５ｓそれぞれに配設固定された撥水性のサイドシート６１を備え、サイドシート６１の自由端部６１ｆには、吸収性本体５の長手方向（Ｙ方向）に伸長状態の立体ギャザー形成用の弾性部材６２が配設固定されており、着用時には、立体ギャザー形成用の弾性部材６２の収縮力によって、サイドシート６１の自由端部６１ｆが起立して立体ギャザー６を形成する。言い換えれば、吸収性本体５の長手方向（Ｙ方向）に沿う両側部５ｓ，５ｓそれぞれには、吸収性本体５の肌対向面５ｕ側、即ち、表面シート２の肌対向面２ｕにおいて、Ｙ方向に伸長状態で固定された弾性部材６２を有するサイドシート６１が、表面シート２の両側部それぞれに、吸収性本体５の長手方向（Ｙ方向）の全長に亘って配され固定されており、これによって一対の立体ギャザー６，６が形成される。尚、尿とりパッド１０の吸収性本体５の長手方向（Ｙ方向）に沿う両側部５ｓ，５ｓそれぞれに、レッグギャザー形成用のレッグ弾性部材（不図示）を長手方向（Ｙ方向）に伸長状態に配し、該レッグ弾性部材（不図示）の収縮によりレッグギャザーが形成されるようにしてもよい。
【００１７】
本実施形態の排液センサーシート２０は、図１〜図３に示すように、尿とりパッド１０の裏面シート３よりも非肌対向面側に配され、尿とりパッド１０及び使い捨ておむつ３０とは別体の独立したシートである。本実施形態においては、排液センサーシート２０が、裏面シート３の非肌対向面側に配され、尿とりパッド１０を構成する裏面シート３の非肌対向面に粘着部２９を介して固定されている。排液センサーシート２０は、本実施形態においては、長手方向（Ｙ方向）に長い矩形状に形成されている。排液センサーシート２０は、体液の広がりを検知する際には、少なくとも股下領域Ｃに亘って配されていることが好ましく、本実施形態の着用物品１００においては、その外周縁が、尿とりパッド１０の外周縁よりも狭く、かつ、尿とりパッド１０の吸収体４の外周縁よりも狭く形成されている。詳述すると、排液センサーシート２０は、長手方向（Ｙ方向）においては、尿とりパッド１０の吸収体４の長手方向（Ｙ方向）の長さと略一致しており、幅方向（Ｘ方向）においては、尿とりパッド１０の吸収体４の幅方向（Ｘ方向）の長さよりも短く形成されている。
【００１８】
本発明の排液センサーシートは、その一面上に、吸収性本体５の吸収体４に体液が広がったときに相互に絶縁された状態を維持する複数の電極群を備え、各電極群は、相互に導線を介して接続された少なくとも２つの電極からなっている。具体的に本実施形態においては、排液センサーシート２０は、図２に示すように、排液センサーシート２０の肌対向面２０ｕ上の、吸収性本体５の吸収体４での体液の広がりを検知する複数の電極群ＥＴを備えている。電極群ＥＴの各々は、吸収性本体５の吸収体４での体液の広がりを検知する観点から、少なくとも股下領域Ｃに亘っており、Ｘ方向に２個〜３２個形成されていることが好ましく、２個〜８個形成されていることが更に好ましい。詳述すると、本実施形態においては、排液センサーシート２０の肌対向面２０ｕに、股下領域Ｃの全域から腹側領域Ａ及び背側領域Ｂの一部に至るまで、４個の電極群ＥＴ１〜ＥＴ４が形成されている。電極群ＥＴ１〜ＥＴ４それぞれには、複数の電極２１が配され、複数の電極２１相互を接続する導電体である導線２２が配されている。このように各電極群は、複数の電極２１による列が形成されており、該電極の列が複数列（本実施形態においては、４個の電極群ＥＴ１〜ＥＴ４に対応して４列）形成されることで、相互に絶縁された対となる電極とその間隙とで構成されるセンサー素子が排液センサーシート２０の肌対向面２０ｕの広い範囲で複数構成されている。尚、各センサー素子により、対となる電極間のインピーダンスの変化が検知される。センサー素子には、交流あるいは正か負一方の半波、矩形波、三角波等が印加されるので正確ではないが、以下では、便宜上、対となる電極の一方を正電極、他方を負電極と呼ぶ。
【００１９】
本発明の排液センサーシートにおいては、導線が導電性糸からなり、電極が導電性繊維シートからなる。そして、複数の電極群は、排液センサーシートの一面上に配された粘着部上に隣接して導電性糸が配され、導電性糸上に隣接して導電性繊維シートが配されて形成されている。具体的に本実施形態の排液センサーシート２０においては、図２に示すように、肌対向面２０ｕ上の全面に粘着部２９が配され、粘着部２９上に粘着部２９に接して導電性糸である導線２２が配され、導電性糸（導線２２）上に導電性糸に接して導電性繊維シートである電極２１が配されて、肌対向面２０ｕに電極群ＥＴが形成されている。本実施形態の排液センサーシート２０の製造方法については、後段で詳述する。なお、粘着部２９は、肌対向面２０ｕ上の全面に均一に存在しているのではなく、小さな隙間が存在している。結果、排液センサーシート２０は通気性を備える。
【００２０】
導電性繊維シートからなる電極２１は、排液センサーシート２０の長手方向（Ｙ方向）に２個〜５０個配されていることが好ましく、本実施形態においては、図２に示すように、１２個配されている。Ｙ方向に隣り合う電極２１は、正電極、負電極、正電極・・・の順、或いは負電極、正電極、負電極・・・の順に配置されていて、１１個のセンサー素子を構成している。また、電極２１は、排液センサーシート２０の幅方向（Ｘ方向）に１個〜１６個配されていることが好ましく、本実施形態においては、２個配されている。このように配置されていることにより本実施形態では、都合、２２個のセンサー素子が構成されていることになる。Ｘ方向に隣り合う電極２１は、正電極に対して負電極、負電極に対して正電極の関係で配置されていてもよいが、本実施形態においては、正電極に対して正電極、負電極に対して負電極の関係で配置されている。そして、正か負一方の半波、矩形波、三角波等が印加される場合には、一方の電極が接地されていてもよい。
【００２１】
詳述すると、本実施形態の排液センサーシート２０においては、４個の電極群ＥＴ１〜ＥＴ４それぞれに、６個の電極２１が配されている。４個の電極群ＥＴ１〜ＥＴ４それぞれの複数の電極２１は、同形の矩形状に形成されており、同じ大きさに形成されている。電極群ＥＴ１〜ＥＴ４は、排液センサーシート２０の幅方向（Ｘ方向）に配されている。電極群ＥＴ１の６個の導電性繊維シート２１１ａからなる電極２１ａは、負電極であり、股下領域Ｃの全域から腹側領域Ａ及び背側領域Ｂの一部に至るまで、排液センサーシート２０の長手方向（Ｙ方向）に、等間隔を開けて配置されている。そして、電極群ＥＴ１の６個の電極２１ａは、各電極２１ａの幅方向（Ｘ方向）外側端に配された直線状の導電性糸２２２ａからなる導線２２ａを介して接続されている。
【００２２】
また、電極群ＥＴ２の６個の電極２１ｂは、正電極であり、股下領域Ｃの全域から腹側領域Ａ及び背側領域Ｂの一部に至るまで、排液センサーシート２０の幅方向（Ｘ方向）においては、電極群ＥＴ１より幅方向（Ｘ方向）内側寄り（中心線ＣＬ寄り）の位置にて、長手方向（Ｙ方向）においては、隣り合う電極群ＥＴ１の電極２１ａ，２１ａどうしの間に配置されている。そして、電極群ＥＴ２の６個の導電性繊維シート２１１ｂからなる電極２１ｂは、各電極２１ｂの幅方向（Ｘ方向）内側端（中心線ＣＬ寄り）に配された直線状の導電性糸２２２ｂからなる導線２２ｂを介して接続されている。
【００２３】
電極群ＥＴ３の６個の電極２１ｃは、負電極であり、股下領域Ｃの全域から腹側領域Ａ及び背側領域Ｂの一部に至るまで、排液センサーシート２０の幅方向（Ｘ方向）においては、電極群ＥＴ１から間隔を空けて、長手方向（Ｙ方向）に、等間隔を開けて配置されている。電極群ＥＴ３の６個の導電性繊維シート２１１ｃからなる電極２１ｃと電極群ＥＴ１の６個の電極２１ａとは、中心線ＣＬに対して対称に配されている。そして、電極群ＥＴ３の６個の電極２１ｃは、各電極２１ｃの幅方向（Ｘ方向）外側端に配された直線状の導電性糸２２２ｃからなる導線２２ｃを介して接続されている。
【００２４】
また、電極群ＥＴ４の６個の電極２１ｄは、正電極であり、股下領域Ｃの全域から腹側領域Ａ及び背側領域Ｂの一部に至るまで、排液センサーシート２０の幅方向（Ｘ方向）においては、電極群ＥＴ３より幅方向（Ｘ方向）内側寄り（中心線ＣＬ寄り）の位置にて、長手方向（Ｙ方向）においては、隣り合う電極群ＥＴ３の電極２１ｃ，２１ｃどうしの間に配置されている。電極群ＥＴ４の６個の導電性繊維シート２１１ｄからなる電極２１ｄと電極群ＥＴ２の６個の電極２１ｂとは、中心線ＣＬに対して対称に配されている。そして、電極群ＥＴ４の６個の電極２１ｄは、各電極２１ｄの幅方向（Ｘ方向）内側端（中心線ＣＬ寄り）に配された直線状の導電性糸２２２ｄからなる導線２２ｄを介して接続されている。
【００２５】
電極群ＥＴ１の各電極２１ａは、複数回の排尿や多量の排尿に対する測定精度向上の観点から、その面積が、１００ｍｍ２以上７０００ｍｍ２以下であることが好ましく、１００ｍｍ２以上２０００ｍｍ２以下であることが更に好ましく、４００ｍｍ２以上９００ｍｍ２以下であることが特に好ましい。そして、同様の観点から、各電極２１ａのＹ方向の長さは、１ｍｍ以上１００ｍｍ以下であることが好ましく、５ｍｍ以上５０ｍｍ以下であることが更に好ましく、また、各電極２１ａのＸ方向の長さは、３ｍｍ以上１５０ｍｍ以下であることが好ましく、２０ｍｍ以上４０ｍｍ以下であることが更に好ましい。
【００２６】
また、長手方向（Ｙ方向）に隣り合う電極群ＥＴ１の電極２１ａと電極群ＥＴ２の電極２１ｂとの離間距離（長手方向（Ｙ方向）の電極間の離間距離）ｄ（図２参照）は、複数回の排尿や多量の排尿に対する測定精度向上の観点から、１ｍｍ以上５０ｍｍ以下であることが好ましく、２ｍｍ以上２５ｍｍ以下であることが更に好ましい。長手方向（Ｙ方向）に隣り合う電極群ＥＴ３の電極２１ｃと電極群ＥＴ４の電極２１ｄとの離間距離についても同じである。
【００２７】
また、長手方向（Ｙ方向）に隣り合う電極群ＥＴ１の電極２１ａと電極群ＥＴ２の電極２１ｂとの電極間隔（長手方向（Ｙ方向）の電極間隔）ｄ’（図２参照）は、複数回の排尿や多量の排尿に対する測定精度向上の観点から、１．５ｍｍ以上１００ｍｍ以下であることが好ましく、４．５ｍｍ以上５０ｍｍ以下であることが更に好ましい。電極間隔ｄ’は、電極群ＥＴ１の電極２１ａ及び電極群ＥＴ２の電極２１ｂを例に挙げ説明すると、長手方向（Ｙ方向）の電極間の離間距離ｄと、各電極２１ａ，２１ｂの面積を４等分する幅方向（Ｘ方向）に平行に延びる直線にのうち互いに対向する側の電極端部に近い直線から該電極端部までの距離ａ１／４，ｂ１／４との合計値と定義する。即ち、電極間隔ｄ’（図２参照）は、以下の式（１）で表される。
ｄ’  ＝  ｄ  ＋  ａ１／４  ＋  ｂ１／４  ・・・（１）
距離ａ１／４，ｂ１／４は、一方の電極において幅方向（Ｘ方向）に平行に延びる直線によって該電極の面積を１／４に分割した場合に、他方側の電極に最も近接する該電極の面積を１／４に分割した直線と、他方側の電極に対抗する端部との距離を意味する。本実施形態においては、電極の形状が矩形状であるため、電極における長手方向(Ｘ方向)の長さの１／４の位置と同じである。
長手方向（Ｙ方向）に隣り合う電極群ＥＴ３の電極２１ｃと電極群ＥＴ４の電極２１ｄとの電極間隔についても同様に定義される。
【００２８】
また、電極列の全長（電極群ＥＴ１の最も外側の電極２１ａにおける外側の端部から電極群ＥＴ２の最も外側の電極２１ｂにおける外側の端部までの距離）Ｌ（図２参照）は、複数回の排尿や多量の排尿に対する測定精度向上の観点から、１００ｍｍ以上６２０ｍｍ以下であることが好ましく、１８０ｍｍ以上５２０ｍｍ以下であることが更に好ましい。電極群ＥＴ３の最も外側の電極２１ｃにおける外側の端部から電極群ＥＴ４の最も外側の電極２１ｄにおける外側の端部までの距離についても同じである。
【００２９】
また、幅方向（Ｘ方向）に隣り合う電極群ＥＴ１の導線２２ａを構成する導電性糸２２２ａと電極群ＥＴ２の導線２２ｂを構成する導電性糸２２２ｂとの間隔Ｗ（図２参照）は、複数回の排尿や多量の排尿に対する測定精度向上の観点から、５ｍｍ以上１５５ｍｍ以下であることが好ましく、２５ｍｍ以上４５ｍｍ以下であることが更に好ましい。電極群ＥＴ３の導線２２ｃを構成する導電性糸２２２ｃと電極群ＥＴ４の導線２２ｄを構成する導電性糸２２２ｄとの間隔についても同じである。
【００３０】
また、幅方向（Ｘ方向）に隣り合う電極群ＥＴ２の導線２２ｂを構成する導電性糸２２２ｂと電極群ＥＴ４の導線２２ｄを構成する導電性糸２２２ｄとの間隔Ｗ’（図２参照）は、複数回の排尿や多量の排尿に対する測定精度向上の観点から１０ｍｍ以上３０ｍｍ以下が好ましい。
尚、各電極２１の形状（デザイン）、大きさ、配置間隔は、上記実施形態に限定されるものではない。
【００３１】
また、各電極群ＥＴ１〜ＥＴ４は、電子機器に接続するための端子２３，２４にそれぞれ接続されている。詳述すると、本実施形態の排液センサーシート２０は、腹側領域Ａにおいて、電極群ＥＴ１の電極２１ａ、２１ａ・・・を接続する導線２２ａと電極群ＥＴ３の電極２１ｃ、２１ｃ・・・を接続する導線２２ｃとが、幅方向（Ｘ方向）に長い矩形状の接続電極２３１まで延在しており、接続電極２３１の幅方向(Ｙ方向)中央部にて導電性を有する端子２３を介して連続している。すなわち、電極群ＥＴ１及び電極群ＥＴ３が端子２３に接続されている。また、排液センサーシート２０は、腹側領域Ａにおいて、電極群ＥＴ２の電極２１ｂ、２１ｂ・・・を接続する導線２２ｂと電極群ＥＴ４の電極２１ｄ、２１ｄ・・・を接続する導線２２ｄとが、幅方向（Ｘ方向）に長い矩形状の接続電極２４１まで延在しており、接続電極２４１の幅方向(Ｙ方向)中央部にて端子２４を介して連続している。すなわち、電極群ＥＴ２及び電極群ＥＴ４が端子２４に接続されている。尚、端子２３，２４の位置は腹側領域Ａに限定されるものではなく、排液センサーシート２０上になくてもよい。
【００３２】
矩形状の接続電極２３１，２４１は、電極２１と同様に、導電性繊維シートからなり、排液センサーシート２０の肌対向面２０ｕ上の全面に配された粘着部２９を介して導電性糸（導線２２）上に導電性糸と電気的に接続された状態となるように接して固定されている。尚、排液センサーシート２０は、矩形状の接続電極２３１，２４１を有しているが、接続電極２３１，２４１を有さず、導線２２ａと導線２２ｃとが直接端子２３を介して連続し、導線２２ｂと導線２２ｄとが直接端子２４を介して連続していてもよい。また、排液センサーシート２０の肌対向面２０ｕ上の粘着部２９は、一面全面にスパイラル塗布等で導電性糸や導電性繊維シートが固定できる程度にまばらに粘着部を配すことで排液センサーシート２０の通気性を高めても良い。
【００３３】
以下、複数の電極群間のインピーダンス変化に基づいて吸収性本体５の吸収体４での体液の広がりを検知する着用物品用の排液センサーシートの製造方法について説明する。
具体的には、上述した本実施形態の排液センサーシート２０を例に挙げて説明する。
先ず、図４（ａ）に示すように、一面（肌対向面２０ｕとなる側の面）全面に粘着部２９が配された基材シート２０ｆを用意する。用意する基材シート２０ｆは、形成する排液センサーシート２０の形状に対応させた該排液センサーシート２０と同形同大のシートであるか、或いは、形成する排液センサーシート２０の形状よりも大きいシートである。本実施態様においては、用意する基材シート２０ｆは、図４（ａ）に示すように、形成する排液センサーシート２０の形状に対応させた前者のシートであり、Ｙ方向に長い矩形状に形成されている。尚、形成する排液センサーシート２０の形状よりも大きい基材シート２０ｆを用意した場合には、例えば、後述する図４（ｇ）に示す端子２３，２４を取り付けた後に、形成する排液センサーシート２０の形状及び大きさにカットすればよい。
【００３４】
基材シート２０ｆとしては、従来より着用物品に用いられている材質のものを用い、具体的には、スパンボンド，スパンレース，エアースルー等の不織布、織物，編み物等の布、プラスチック製のフィルム等が挙げられる。尚、基材シート２０ｆとして、スパンボンド不織布を用いる際には、その坪量が、好ましくは５ｇ／ｍ２以上１００ｇ／ｍ２以下、更に好ましくは１０ｇ／ｍ２以上８０ｇ／ｍ２以下である。
また、粘着部２９としては、従来より着用物品に用いられている接着剤を用いることができる。
また、一面全面に粘着部２９が配された基材シート２０ｆとして、レーヨン不織布にアクリル系粘着剤が配されてなる粘着テープ、或いは、ポリエステル系不織布にゴム系粘着剤が配されてなる粘着テープを用いてもよい。具体的に、レーヨン不織布にアクリル系粘着剤が配されてなる粘着テープとしては、繰り返して使用できる観点から、住友スリーエム株式会社製の例えば商品名「マイクロポアＴＭサージカルテープ」等が好ましく用いられ、ポリエステル系不織布にゴム系粘着剤が配されてなる粘着テープとしては、高粘着性の観点から、日東電工株式会社製の例えば商品名「ニトスルー」等が好ましく用いられる。どちらも通気性を有する観点からも好ましく用いられる。
【００３５】
予め、電極群を構成する導線の配置予定位置、前記電極群を構成する電極の配置予定位置、及び前記電極群を電子機器に接続するための端子の配置予定位置を記載した配置パターン図を作製する。本実施態様においては、図４（ｂ）に示すように、一般的な紙７を用意し、その紙７の一面上に、電極群ＥＴ１〜ＥＴ４を構成する導線２２ａ〜２２ｄの配置予定位置２２ａｆ〜２２ｄｆ、電極群ＥＴ１〜ＥＴ４を構成する電極２１ａ〜２１ｄの配置予定位置２１ａｆ〜２１ｄｆ、電極群ＥＴ１〜ＥＴ４を電子機器に接続するための端子２３，２４の配置予定位置２３ｆ，２４ｆ、導線２２ａ，２２ｃどうしを接続する接続電極２３１の配置予定位置２３１ｆ、及び導線２２ｂ，２２ｄどうしを接続する接続電極２４１の配置予定位置２４１ｆを記載した配置パターン図７ｆを記載する。尚、図４（ａ）に示す基材シート２０ｆを用意する工程と、図４（ｂ）に示す配置パターン図７ｆを記載した紙７を用意する工程とは、何れが上流側の工程でもよい。
【００３６】
次いで、配置パターン図上に、一面全面に粘着部が配された基材シートを、基材シートにおける粘着部が配されていない他面側を対向させて配する。本実施態様においては、図４（ｃ）に示すように、紙７の外形と基材シート２０ｆの外形とを一致させ、紙７の一面上に記載された配置パターン図７ｆ上に、一面（肌対向面２０ｕとなる側の面）に粘着部２９が配された基材シート２０ｆを、基材シート２０ｆにおける粘着部２９が配されていない他面側（非肌対向面２０ｄとなる側）を対向させて配する。
【００３７】
次いで、基材シートの一面上に、該基材シートを透過して見える配置パターン図の導線の配置予定位置に倣って該導線となる導電性糸を配して粘着部を介して固定する。本実施態様においては、図４（ｄ）に示すように、基材シート２０ｆの一面（肌対向面２０ｕとなる側の面）上に、基材シート２０ｆを透過して見える紙７に記載された配置パターン図７ｆの導線２２ａ〜２２ｄの配置予定位置２２ａｆ〜２２ｄｆそれぞれに倣って導線２２ａ〜２２ｄを構成する導電性糸２２２ａ〜２２２ｄを配して、基材シート２０の一面全面に配された粘着部２９を介して基材シート２０ｆの一面（肌対向面２０ｕとなる側の面）上に固定する。
尚、基材シート２０ｆの厚みが厚い場合など図が透けて見えにくい場合は、紙７の２０ｆと接しない面の側よりランプ等の光源を用いて照らしても良い。
【００３８】
導線２２ａ〜２２ｄとなる導電性糸２２２ａ〜２２２ｄとしては、電気を通す金属或いは炭素の粒子を混ぜて作られた合成繊維、繊維表面に金属或いは炭素を被覆した繊維、ステンレス等の金属繊維等が挙げられる。具体的に導電性糸２２２には、株式会社ケンエー社製の商品名「スーパーα繊維」，「ステンレス繊維」，「サンダーロン・ダイナ繊維」等が用いられる。その抵抗値は、デジタルマルチメーター  COSTOM  POKET  DMM CDM-12D  でプローブを２cmの間隔で配置し測定した場合、０．０８Ω〜４０Ωになることが好ましい。
【００３９】
次いで、基材シートの一面上に固定された導電性糸上に、基材シートを透過して見える配置パターン図の電極の配置予定位置に倣って、電極となる導電性繊維シートを配して粘着部を介して固定する。本実施態様においては、図４（ｅ）に示すように、予め、電極２１ａ〜２１ｄとなる導電性繊維シート２１１ａ〜２１１ｄを用意する。用意する導電性繊維シート２１１ａ〜２１１ｄは、形成する電極２１ａ〜２１ｄの形状に対応させたシートであり、該電極２１ａ〜２１ｄに倣って該電極２１ａ〜２１ｄと同形同大に形成されている。このように形成された導電性繊維シート２１１ａ〜２１１ｄを用い、図４（ｅ）に示すように、基材シート２０ｆを透過して見える配置パターン図７ｆの電極２１ａ〜２１ｄの配置予定位置２１ａｆ〜２１ｄｆ上に、電極２１ａ〜２１ｄとなる導電性繊維シート２１１ａ〜２１１ｄを配する。このようにして、基材シート２０ｆの一面（肌対向面２０ｕとなる側の面）上における導電性糸２２２ａ〜２２２ｄ上にこれらと接するように導電性繊維シート２１１ａ〜２１１ｄを固定する。
【００４０】
尚、使用前の汚れ等を防止する観点から、図５に示すように、導電性繊維シート２１１ａ〜２１１ｄには、その一面（肌対向面となる側の面）全面にシート粘着部２１２が配されシート粘着部２１２を覆う剥離紙２１３が予め配されていることが好ましい。このような、一面（肌対向面となる側の面）に剥離紙２１３が予め配された導電性繊維シート２１１ａ〜２１１ｄを用いる場合には、導電性繊維シート２１１ａ〜２１１ｄにおけるシート粘着部２１２が配されていない他面側（非肌対向面となる側）を基材シート２０ｆの一面（肌対向面２０ｕとなる側の面）に対向させて配して、基材シート２０ｆの一面上における粘着部２９を介して、導電性糸２２２ａ〜２２２ｄ上にこれと接触させて導電性繊維シート２１１ａ〜２１１ｄを固定する。
【００４１】
電極２１ａ〜２１ｄとなる導電性繊維シート２１１ａ〜２１１ｄとしては、不織布或いは織物の繊維表面に、銅、ニッケル、金、銀等の薄膜を被覆するメッキ処理を施したシート、或いは、銅、ニッケル、金、銀等の薄膜をメッキ処理した合成樹脂製のモノフィラメント糸で織ったメッシュシート等が挙げられる。具体的に導電性繊維シートには、セーレン株式会社製の導電織物、導電不織布、導電メッシュ等が用いられる。
また、シート粘着部２１２としては、従来より着用物品に用いられている接着剤を用いることができる。剥離紙２１３としては、一般的な剥離紙を用いることができる。
導電性繊維シートの抵抗値は、デジタルマルチメーター  COSTOM  POKET  DMM CDM-12D  でプローブを２cmの間隔で垂直に当てて測定した場合、０．０１Ω〜１００Ωになることが好ましい。
【００４２】
また、本実施態様においては、図４（ｅ）に示すように、予め、接続電極２３１，２４１となる接続電極用導電性繊維シート２３２，２４２を用意する。用意する接続電極用導電性繊維シート２３２，２４２は、形成する接続電極２３１，２４１の形状に対応させたシートであり、該接続電極２３１，２４１に倣って該接続電極２３１，２４１と同形同大に形成されている。このように形成された接続電極用導電性繊維シート２３２，２４２を用い、基材シート２０ｆの一面（肌対向面２０ｕとなる側の面）上に粘着部２９を介して固定された導電性糸２２２ａ〜２２２ｄ上に、基材シート２０ｆを透過して見える配置パターン図７ｆの接続電極２３１，２４１の配置予定位置２３１ｆ，２４１ｆ上に、接続電極２３１，２４１となる接続電極用導電性繊維シート２３２，２４２を配する。このようにして、基材シート２０ｆの一面（肌対向面２０ｕとなる側の面）上における導電性糸２２２ａ〜２２２ｄ上にこれらと接触させて接続電極用導電性繊維シート２３２，２４２を固定する。
【００４３】
尚、接続電極用導電性繊維シート２３２，２４２としては、導電性繊維シート２１１ａ〜２１１ｄと同じ素材のシートを用いることができる。また、導電性繊維シート２１１ａ〜２１１ｄと同様な観点から、接続電極用導電性繊維シート２３２，２４２には、その一面（肌対向面となる側の面）全面にシート粘着部２１２が配されシート粘着部２１２を覆う剥離紙２１３が予め配されていることが好ましい。
【００４４】
次いで、基材シートを透過して見える配置パターン図の端子の配置予定位置に該基材シートを貫通する貫通孔を形成し、貫通孔に端子を取り付ける。本実施態様においては、図４（ｆ）に示すように、配置パターン図７ｆの端子２３の配置予定位置２３ｆが、導線２２ａ，２２ｃどうしを接続する接続電極２３１となる接続電極用導電性繊維シート２３２の範囲内にある。また、配置パターン図７ｆの端子２４の配置予定位置２４ｆが、導線２２ｂ，２２ｄどうしを接続する接続電極２４１となる接続電極用導電性繊維シート２４２の範囲内にある。そして、接続電極用導電性繊維シート２３２，２４２上の端子２３，２４の配置予定位置２３ｆ，２４ｆにて、接続電極用導電性繊維シート２３２，２４２のみならず基材シート２０ｆも貫通する貫通孔２３３，２４３を形成する。そして、図４（ｇ）に示すように、各貫通孔２３３，２４３に端子２３，２４を取り付けて排液センサーシート２０を製造する。
【００４５】
端子２３，２４としては、金属製のコネクター又は導電性を有するスナップ、ファスナー、面ファスナー（マジックテープ（登録商標）等）、ねじ、フック、噛み込み式の留め具等の任意の協働する雌雄部材が挙げられ、本実施態様においては、金属製のスナップ８が用いられている。この金属製のスナップ８は、金属製の雄部材８１と金属製の雌部材８２とからなる。金属製のスナップ８は、図６に示すように、各貫通孔２３３，２４３に、基材シート２０ｆの一面（肌対向面２０ｕ）上の接続電極用導電性繊維シート２３２，２４２上から雄部材８１を挿入し、基材シート２０ｆの他面側（非肌対向面２０ｄとなる側）に接して配された雌部材８２と嵌合させて固定されている。以上のように固定された端子２３は、導線２２ａ，２２ｃとなる導電性糸２２２ａ，２２２ｃを介して、電極２１ａ，２１ｃとなる導電性繊維シート２１１ａ，２１１ｃ及び接続電極２３１となる接続電極用導電性繊維シート２３２と電気的に接続されている。また、以上のように固定された端子２４は、導線２２ｂ，２２ｄとなる導電性糸２２２ｂ，２２２ｄを介して、電極２１ｂ，２１ｄとなる導電性繊維シート２１１ｂ，２１１ｄ及び接続電極２４１となる接続電極用導電性繊維シート２４２と電気的に接続されている。尚、雄部材は、金属をメッキしたプラスチックでもよい。
【００４６】
以上の工程を経て製造された排液センサーシートは、尿取りパッド１０の裏面シート３に貼ることで尿取りパッド１０の吸収体４に体液が広がったときに相互に絶縁された状態を維持する、電極相互が導線を介して接続された少なくとも２つの電極からなる電極群を、一面上に備えている。具体的には、本実施態様によって製造された排液センサーシート２０は、図４（ｇ）に示すように、一面（肌対向面２０ｕ）上に取り付けた尿取りパッド１０の吸収体４に体液が広がったときに相互に絶縁された状態を維持するとともに、相互に導線２２ａ〜２２ｄ（導電性糸２２２ａ〜２２２ｄ）を介して接続された電極２１ａ〜２１ｄ（導電性繊維シート２１１ａ〜２１１ｄ）からなる、４個の電極群ＥＴ１〜ＥＴ４を備えている。本実施態様の排液センサーシート２０の製造方法によれば、このような排液センサーシート２０を効率的に製造することができる。
【００４７】
尚、本実施態様の排液センサーシート２０の製造方法（本製造方法１）では、紙７の一面上に記載された配置パターン図７ｆを用いたが、配置パターンをＰＣ等に入力し、排液センサーシート２０の一面（肌対抗面２０ｕ）上前面に配された粘着部２９上に導電性糸（導線２２）を配し、その上に導電性繊維シート（電極２１）を配する第２実施態様の排液センサーシート２０の製造方法（製造方法２）でも良い。
本製造方法１では、排液センサーシートを製造するにあたり、配置パターン図に重なるように電極シートを配したが、電極部分を印刷したシートを準備して、それを貼り合わせる製造方法２によっても排液センサーシートを作ることができる。製造方法２によれば、印刷ＣＡＤなどを用いてシートの形や大きさを容易に変更できる。
【００４８】
製造方法２について詳述すると、電極群を構成する電極の配置予定位置に、導電性のインクを用いて電極を印刷することで電極シートを作製する。
そして、一面全面に粘着部が配された基材シートの一面上に、導線となる導電性糸を配して固定する。そして、電極或いは導電性糸と電気的に接続される端子の配置予定位置に貫通孔を形成し、該貫通孔に端子を取り付ける。即ち、接続電極用印刷部に接するように端子を取り付けるための貫通孔を基材シートを貫くようにあけ、端子を取り付ける。その後、基材シートの一面上に固定された導電性糸上に作製した電極シートを固定する。具体的には、上記のように作製した電極シートを、電極が印刷された面が粘着部に接するように貼り合わせ固定する。こうすることで、電極と導電性糸および接続電極印刷部と端子とが電気的に接続される。
製造方法２によることで、機械化が出来、連続生産も可能となる。
なお、電極シートを基材シートより小さくし、電極シートの範囲のみ基材シートに粘着剤を印刷することもできる。
また、粘着部を基材シートでなく、電極シートの電極部分以外に粘着剤を印刷してもよい。このときは電極シートを基材シートより小さくすることもできる。逆に、基材シートを電極シートより小さくし、基材シートが貼られる範囲のみ電極シートに粘着剤を印刷してもよい。粘着部を電極シートに印刷するときは、導電性糸を電極シートに固定した後に基材シートを該電極シートに固定するのが好ましい。
【００４９】
また、製造方法２に関しては、電極群を構成する電極の配置予定位置に、導電性のインクを用いて電極を印刷することで電極シートを作製した後、作製された電極シートの一面上（印刷された側の面上）に、導線となる導電性糸を配して固定し、該電極シートの一面上に固定された導電性糸上に基材シートを固定してもよい。また、電極シートと基材シートとを固定した後、電極或いは導電性糸と電気的に接続される端子の配置予定位置に貫通孔を形成し、該貫通孔に端子を取り付けてもよい。
【００５０】
本実施形態においては、排液センサーシート２０は、電極群ＥＴ１〜ＥＴ４を構成する導線２２ａ〜２２ｄが導電性糸２２２ａ〜２２２ｄから形成され、電極群ＥＴ１〜ＥＴ４を構成する電極２１ａ〜２１ｄが導電性繊維シート２１１ａ〜２１１ｄから形成され、電極群ＥＴ１〜ＥＴ４を構成する接続電極２３１，２４１が接続電極用導電性繊維シート２３２，２４２から形成されているので、柔らかい。これらのシートは、そのＭＤ方向の曲げ剛性値が、好ましくは１０ｇ以上８０ｇ以下、更に好ましくは１５ｇ以上６０ｇ以下であり、ＣＤ方向の曲げ剛性値が、好ましくは５ｇ以上６０ｇ以下、更に好ましくは１０ｇ以上４０ｇ以下である。曲げ剛性値は、ハンドロメーター、テーバーテスター、或いはＫＥＳ曲げ試験機等によっても測定することができる。尚、ＭＤ方向とは、不織布等製造時の機械方向（流れ方向）、ＣＤ方向とは、不織布等製造時の機械方向に直交する方向を意味する。測定試料は、ＭＤ方向長さ１７ｃｍ、ＣＤ方向８ｃｍから９ｃｍで測定した。
【００５１】
また、複数の電極群ＥＴ１〜ＥＴ４を有する排液センサーシート２０は、原料の基材シート２０ｆが通気性を有している場合には、その通気度が、好ましくは１０μｍ／Ｐａ・ｓ以上１５００ｍ／ｋＰａ・ｓ以下であり、更に好ましくは２０μｍ／Ｐａ・ｓ以上８００ｍ／ｋＰａ・ｓ以下である。
通気度は、カトーテック製ＡＵＴＯＭＡＴＩＣ  ＡＩＲ−ＰＥＲＭＥＡＢＩＬＩＴＹ  ＴＥＳＴＥＲ  ＫＥＳ−Ｆ８−ＡＰ１（通気性試験機）により通気抵抗を測定し、その逆数として求められる。通気性の小さいものは、ガレーデンソーメーターの測定値より求めても良い。
【００５２】
排液センサーシート２０の腹側領域Ａに配された端子２３，２４には、電子機器であるデータ収集手段２７が固定されるようになる。排液センサーシート２０においては、各々６個の電極２１を有する４個の電極群ＥＴ１〜ＥＴ４が排液センサーシート２０の肌対向面２０ｕに形成されているので、複数のセンサー素子が排液センサーシート２０の肌対向面２０ｕに構成されるようになる。そして、各センサー素子により、電極群ＥＴ１の電極２１ａ（負電極）と電極群ＥＴ２の電極２１ｂ（正電極）との間のインピーダンスの変化、電極群ＥＴ３の電極２１ｃ（負電極）と電極群ＥＴ４の電極２１ｄ（正負電極）との間のインピーダンスの変化、電極群ＥＴ１の電極２１ａ（負電極）と電極群ＥＴ４の電極２１ｄ（正電極）との間のインピーダンスの変化、及び電極群ＥＴ３の電極２１ｃ（負正電極）と電極群ＥＴ２の電極２１ｂ（正電極）との間のインピーダンスの変化を測定し、該インピーダンスの変化に基づいて例えば尿等の体液の広がりを検知する。尿等の体液の広がりは、排液センサーシート２０に固定されたデータ収集手段２７で収集されたデータを用いて情報処理手段２８により算出される。すなわち、体液が広がると、尿とりパッド１０（吸収性物品）の備える吸収体４の誘電率が変化し、結果として個々の電極２１間のインピーダンスが変化する。体液が広がったことでインピーダンスが変化した電極２１間と変化していない電極２１間とが生じ、結果として、全体のインピーダンスを測定することで体液の広がりが検出できる。以下、データ収集手段２７及び情報処理手段２８について詳述する。
【００５３】
データ収集手段２７は、図７に示すように、電圧制御手段２７１、加速度センサー２７２及びデータロガー２７３を備えている。
電圧制御手段２７１は、排液センサーシート２０に形成された電極の回路全体に、例えば４００ｋＨｚ〜７００ｋＨｚの矩形波の電圧を印加し、センサー素子を構成する電極２１間のインピーダンス変化を検知する。そして、電圧制御手段２７１は、単位時間ごとの電極間のインピーダンス変化を電圧値の出力に変換し、データロガー２７３に単位時間毎に出力して保存する。単位時間は、０．１〜６０秒が好ましく、０．２〜２０秒がさらに好ましい。
【００５４】
加速度センサー２７２は、使用者の変位によるＸ方向、Ｙ方向、Ｚ方向の加速度をそれぞれ検出（収集）し、検出結果をデータロガー２７３に出力して保存する。
【００５５】
データロガー２７３は、電圧制御手段２７１及び加速度センサー２７２から取得したデータを保存する電子計測器である。データロガー２７３は、情報処理手段２８からの要求に応じて、または、情報処理手段２８に接続されたことを検知すると、保存しているデータを情報処理手段２８に転送する。
【００５６】
情報処理手段２８は、例えば、コンピューターであって、ＣＰＵ（Central Processing Unit）、ＲＯＭ（Read Only Memory）、ＲＡＭ（Random Access Memory）、ＨＤＤ（Hard Disk Drive）等を有しており、図８に示すように、データ取得手段２８１、体液排出量演算手段２８２、体液排出時刻演算手段２８３、及び体液排出速度演算手段２８４で構成されている。
【００５７】
データ取得手段２８１は、データ収集手段２７とケーブルを介して接続されると、データ収集手段２７のデータロガー２７３に保存されているデータを取得し、体液排出量演算手段２８２、及び体液排出時刻演算手段２８３に供給し、それらの演算結果を体液排出速度演算手段２８４に供給する。
【００５８】
体液排出量演算手段２８２は、データ取得手段２８１から取得したデータに基づいて、体液排出量を計算する。体液排出時刻演算手段２８３は、データ取得手段２８１から取得したデータに基づいて、体液排出時刻を計算する。体液排出速度演算手段２８４は体液排出量演算手段２８２から取得したデータと体液排出時刻演算手段２８３から取得したデータに基づいて、体液排出速度を計算する。
【００５９】
以上のように構成された電極を有する排液センサーシート２０、データ収集手段２７及び情報処理手段２８によれば、データ収集手段２７で収集されたデータを取得し、情報処理手段２８により体液の広がりの要素である体液排出量、体液排出時刻、及び体液排出速度を算出できる。
【００６０】
次に、尿とりパッド１０の非肌対向面側に重ねて配される使い捨ておむつ３０について詳述する。
使い捨ておむつ３０は、図１に示すように、尿とりパッド１０が取り付けられるおむつの表面シート３２と、最も非肌対向面側に配されたおむつの裏面シート３３と、これら両シート３２，３３間に配されたおむつの吸収体３４とを有している。また、使い捨ておむつ３０は、おむつの吸収体３４の幅方向（Ｘ方向）外方に、レッグギャザー形成用のおむつレッグ弾性部材（不図示）を長手方向（Ｙ方向）に伸長状態に配し、該おむつレッグ弾性部材（不図示）の収縮によりおむつのレッグギャザー３５が形成されている。
【００６１】
おむつの吸収体３４は、図１に示すように、例えば、使い捨ておむつ３０の肌対向面（内側）に重ねて使用される尿とりパッド１０よりも広く、腹側領域Ａの左右両側縁及び背側領域Ｂの左右両側縁それぞれが股下領域Ｃの左右両側縁よりも幅方向（Ｘ方向）外方に延出している。そして、股下領域Ｃの左右両側縁が幅方向（Ｘ方向）内方に向かって円弧状に湾曲しており、全体として長手方向（Ｙ方向）中央部が内方に括れた形状を有している。尚、おむつの吸収体３４は、尿とりパッド１０の吸収体４と同様に、パルプ繊維等の繊維の集合体に吸水性ポリマーの粒子を保持させてなる吸収性コアを、１枚のコアラップシートで被覆して形成されている。
【００６２】
おむつの表面シート３２及びおむつの裏面シート３３は、それぞれ、おむつの吸収体３４の長手方向（Ｙ方向）に沿う左右両側縁及び長手方向（Ｙ方向）の前後両端縁から外方に延出しており、おむつの吸収体３４の周縁から外方に延出した延出部において直接的に接着剤又は熱融着等によって互いに接合されており、おむつの吸収体３４を挟持・固定している。
【００６３】
以上のように形成された使い捨ておむつ３０は、図１に示すように、全体として長手方向（Ｙ方向）中央部が内方に括れた形状を有している。使い捨ておむつ３０は、いわゆる展開型のおむつであり、背側領域Ｂの左右両側縁部に二対のファスニングテープ３６，３６が設けられ、腹側領域Ａの外表面（非肌対向面）に、該ファスニングテープ３６，３６を止着させるランディングテープ（不図示）が設けられている。
【００６４】
本実施形態の着用物品１００の備える尿とりパッド１０及び使い捨ておむつ３０の形成材料について説明する。
尿とりパッド１０の表面シート２及び使い捨ておむつ３０のおむつの表面シート３２、並びに尿とりパッド１０の吸収体４及び使い捨ておむつ３０のおむつの吸収体３４としては、それぞれ、従来、使い捨ておむつ、生理用ナプキン等の吸収性物品に用いられるもの等を、特に制限なく用いることができる。例えば、表面シート２及びおむつの表面シート３２としては、親水性且つ液透過性の不織布や立体開孔フィルム等を用いることができる。また、吸収体４を構成する吸収性コア４１及びおむつの吸収体３４を構成する吸収性コアとしては、パルプ繊維等の繊維の集合体に吸収ポリマーの粒子を保持させたもの等を用いることができ、吸収体４を構成するコアラップシート４２及びおむつの吸収体３４を構成するコアラップシートとしては、親水性シート、例えば、透水性の薄紙（ティッシュペーパー）や透水性の不織布からなるコアラップシート等を用いることができる。尚、立体ギャザー６を構成する撥水性のサイドシート６１としては、不織布、織物又は不織布とフィルムの積層シート等を用いることができる。
【００６５】
また、尿とりパッド１０の裏面シート３及び使い捨ておむつ３０のおむつの裏面シート３３としては、液難透過性（撥水性を含む）の樹脂フィルム、或いは該樹脂フィルムに、各種製法による不織布（例えば、エアースルー不織布、スパンボンド不織布、スパンレース不織布、ニードルパンチ不織布等）を積層したシート等を用いることができる。ここで、液難透過性とは、液不透過性を含む。液難透過性の裏面シートが吸収体４と電極との間にあるので、体液が広がったときも電極は相互に絶縁された状態を維持する。従来の直接体液と接することにより体液排出を検知する電極を有する電極群は、その性質上、尿とりパッドの裏面シートよりも肌対向面側の例えば吸収体内に配置せざるを得ず、該パッドごとに使い捨てる必要があったが、着用物品１００の備える電極を有する排液センサーシート２０は、電極が直接尿に接しなくても、電極からの電気力線は電極の面から吸収体の中を経由して他の電極に戻り、結果として体液による吸収体のインピーダンス変化を捉えることができるので、排尿を検知することができる。そのため電極を有する排液センサーシート２０は、尿とりパッドの裏面シートよりも非肌対向面側に配することができ、体液で濡らし難く、衛生的に繰り返し使用が可能となる。
【００６６】
また、尿とりパッド１０及び使い捨ておむつ３０を構成する部材同士は、接着剤或いは熱融着等を利用して固定することができる。接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
【００６７】
尿とりパッド１０の立体ギャザー形成用の弾性部材６２及び使い捨ておむつ３０のレッグギャザー３５形成用のおむつレッグ弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００６８】
上述した本発明の排液センサーシートを有する好ましい実施形態の着用物品１００を使用した際の作用効果について説明する。
本実施形態の排液センサーシート２０は、図１に示すように、着用物品１００内に、例えば排尿があって尿とりパッド１０に体液が吸収されると、体液排出があった部位に対応する電極群ＥＴ１〜ＥＴ４のセンサー素子のインピーダンスが大幅に変化する。即ち、体液排出が多量で広い範囲に広がると、排液センサーシート２０の肌対向面２０ｕ上に配された電極群ＥＴ１〜ＥＴ４におけるかなりの数のセンサー素子のインピーダンスが大幅に変化する。そして、データ収集手段２７の電圧制御手段２７１が、複数のセンサー素子のインピーダンスの変化の総量の電圧信号を出力し、情報処理手段２８により体液の広がりの要素である体液排出量、体液排出時刻、及び体液排出速度を精度良く検知できる。特に、排液センサーシート２０は、その肌対向面２０ｕ上の全面に粘着部２９が配されているので、尿とりパッド１０の裏面シート３の非肌対向面に密着固定されるようになる。従って、電極群ＥＴ１〜ＥＴ４のセンサー素子のインピーダンス変化を更に精度良く検知できる。
【００６９】
また、本実施形態の排液センサーシート２０は、電極群ＥＴ１〜ＥＴ４を構成する導線２２ａ〜２２ｄが導電性糸２２２ａ〜２２２ｄから形成され、電極群ＥＴ１〜ＥＴ４を構成する電極２１ａ〜２１ｄが導電性繊維シート２１１ａ〜２１１ｄから形成され、電極群ＥＴ１〜ＥＴ４を構成する接続電極２３１，２４１が接続電極用導電性繊維シート２３２，２４２から形成されているので、柔らかく形成されている。その為、本実施形態の着用物品１００は、尿とりパッド１０と使い捨ておむつ３０との間に、電極群ＥＴ１〜ＥＴ４を有する排液センサーシート２０を配置して使用しても、違和感が少なく、使用感が向上する。
【００７０】
本発明の排液センサーシート及び該排液センサーシートを有する着用物品は、上述の実施形態に何ら制限されるものではなく、適宜変更可能である。
例えば、着用物品１００は、図１に示すように、尿とりパッド１０と使い捨ておむつ３０との間に、電極群ＥＴ１〜ＥＴ４を有する排液センサーシート２０を配置して使用されているが、使い捨ておむつ３０に換えて、ブリーフ，ショーツ、ガードル、紙パンツ、リハビリパンツ等の下着等、尿とりパッド１０と排液センサーシート２０を人体に固定できるものを用いてもよい。また、尿とりパッド１０及び使い捨ておむつ３０の替わりに、生理用ナプキン等の他の吸収性物品であってもよい。従って、本発明の排液センサーシートを有する着用物品は、尿以外の、例えば経血等の体液の広がりを検知することもできる。
【００７１】
着用物品１００の有する排液センサーシート２０は、図２に示すように、その肌対向面２０ｕ上の全面に粘着部２９が配されているが、肌対向面２０ｕ上における電極２１及び導線２２の内の少なくとも電極２１が配されている部分にのみ粘着部２９が配されていてもよい。このように部分的に粘着部２９が配された排液センサーシート２０は、尿とりパッド１０と使い捨ておむつ３０との間に、排液センサーシート２０の電極群ＥＴ１〜ＥＴ４側が尿とりパッド１０に接するように配置されて使用される。このように配置されて使用されることにより、使い捨ておむつ３０が電極群ＥＴ１〜ＥＴ４を有する排液センサーシート２０及び尿取りパット１０を押圧し、尿取りパット１０が装着者に接触して、電極群ＥＴ１〜ＥＴ４を有する排液センサーシート２０が、使い捨ておむつ３０及び尿取りパット１０の間で固定されるようになる。その為、部分的に粘着部２９が配された排液センサーシート２０は、全面に粘着部２９が配されている排液センサーシート２０と同様に、体液の広がりの要素である体液排出量、体液排出時刻、及び体液排出速度を精度良く検知できる。
【００７２】
また、上述した本実施形態の排液センサーシート２０は、電極２１ａ、２１ａ・・・を接続する導線２２ａと電極２１ｃ、２１ｃ・・・を接続する導線２２ｃとが接続電極２３１まで延在し、接続電極２３１に配された端子２３を介して接続されているが、接続電極２３１が無く、導線２２ａと導線２２ｃとが直接端子２３に接続されていてもよい。同様に、上述した本実施形態の排液センサーシート２０は、電極２１ｂ、２１ｂ・・・を接続する導線２２ｂと電極２１ｄ、２１ｄ・・・を接続する導線２２ｄとが接続電極２４１まで延在し、接続電極２４１に配された端子２４を介して接続されているが、接続電極２４１が無く、導線２２ｂと導線２２ｄとが直接端子２４に接続されていてもよい。
【００７３】
また、上述した本実施形態の排液センサーシート２０は、矩形状に形成されているが、排液センサーシート２０の形状は、矩形状に限定されるものではない。
【００７４】
また、上述した本実施形態の排液センサーシート２０は、その肌対向面２０ｕに電極群が形成されているが、排液センサーシート２０の非肌対向面に形成されていてもよい。
【００７５】
また、本発明の排液センサーシートを有する着用物品は、成人用又は乳幼児の着用物品であってもよい。
【符号の説明】
【００７６】
１００  着用物品
１０  尿とりパッド
２  表面シート
３  裏面シート
４  吸収体
４１  吸収性コア
４２  コアラップシート
５  吸収性本体
６  立体ギャザー
６１  サイドシート
２０  排液センサーシート
ＥＴ  電極群
２１  電極
２１１  導電性繊維シート
２１２  シート粘着部
２１３  剥離紙
２２  導線
２２２  導電性糸
２３，２４  端子
２３１，２４１  接続電極
２３２，２４２  接続電極用導電性繊維シート
２３３，２４３  貫通孔
２７  データ収集手段
２８  情報処理手段
３０  使い捨ておむつ
３２  おむつの表面シート
３３  おむつの裏面シート
３４  おむつの吸収体
３６  ファスニングテープ
７  紙
７ｆ  配置パターン図
８  スナップ
８１  雄部材
８２  雌部材
Ａ  腹側領域、Ｂ  背側領域、Ｃ  股下領域
【図１】
0006339440.tif 000002
【図２】
0006339440.tif 000003
【図３】
0006339440.tif 000004
【図４】
0006339440.tif 000005
【図５】
0006339440.tif 000006
【図６】
0006339440.tif 000007
【図７】
0006339440.tif 000008
【図８】
0006339440.tif 000009